(57)【要約】【課題】設置場所を選ばず、しかも、省スペース性、美感性に優れた引き戸を備えた間仕切り装置を提供する。【解決手段】開口部２５を有する収納ユニット２と、該収納ユニット２に固定された上枠部材３と、上記開口部２５の前面に配置された扉４を備え、上記上枠部材３は、上記収納ユニット２の上縁に平行に固定され、長手方向に形成された摺動構造６を備えており、上記扉４は、上記上枠部材３の摺動構造６に摺動可能に吊られていることを特徴とする間仕切り装置である。【選択図】  図１
2005009258.tif 000002
【特許請求の範囲】
【請求項１】
開口部を有する収納ユニットと、該収納ユニットに固定された上枠部材と、上記開口部の前面に配置された扉を備え、
上記上枠部材は、上記収納ユニットの上縁に平行に固定され、長手方向に形成された摺動構造を備えており、
上記扉は、上記上枠部材の摺動構造に摺動可能に吊られていることを特徴とする間仕切り装置。
【請求項２】
請求項１に記載の間仕切り装置であって、
上記収納ユニットは、複数本並べて設置されていることを特徴とする間仕切り装置。
【請求項３】
請求項１または２に記載の間仕切り装置であって、
上記収納ユニットは、表裏両側に開口部を有することを特徴とする間仕切り装置。
【請求項４】
請求項１乃至３のいずれか１項に記載の間仕切り装置であって、
上記収納ユニットに隣接して、間仕切られた両空間を行き来できる通路部が形成されており、
上記上枠部材が上記通路部の上方にまで延設されていることを特徴とする間仕切り装置。
【請求項５】
請求項１乃至４のいずれか１項に記載の間仕切り装置であって、
上記収納ユニットの天板に照明装置が設置されていることを特徴とする間仕切り装置。
【発明の詳細な説明】
【０００１】
【発明の属する技術分野】
本発明は、収納ユニットで部屋内の空間を間仕切るために用いられる間仕切り装置に関する。
【０００２】
【従来の技術】
従来より、部屋内の空間を間仕切るために収納ユニットを並べて、部屋を間仕切ることが行われていた。間仕切りに使用される収納ユニットは、概ね天井高に等しいか、天井高よりやや低い高さを有し、内部に収納スペースを確保できる程度の奥行きを有している。このような収納ユニットは、複数本組み合わせて配置され、間仕切り装置として使用されている。即ち、上記収納ユニットを１つの壁面から対面または隣接する他の壁面の間に、複数本隙間なく並べることにより部屋内の空間を間仕切ることができる。
【０００３】
このように収納スペースを備えた間仕切り装置には、収納スペースへの埃等の侵入や収納スペースからの収納物の落下を防止し、あるいは、外観上の美感を向上させる目的で、上記収納スペースの開口部を閉鎖する扉が設置されている場合がある。
【０００４】
従来の扉構造としては、部屋内に並べて設置された収納ユニットの開口部に、観音開きの開き扉を設置したものが開示されている（例えば、特許文献１を参照。）。特許文献１に記載された間仕切り装置では、上記開き戸が設置されているため、収納スペース内への埃等の侵入等は防止することができた。しかし、上記間仕切り装置の扉構造は、収納ユニットの取付作業とは別に、開き戸を設置するための扉建具を壁面等に取り付ける作業が必要であった。また、上記扉構造は、開き戸であるため、収納ユニットの前方に、扉の開閉スペースを必要とするといった問題があった。
【０００５】
そこで、扉建具の設置作業を不要とし、しかも、開閉スペースを必要としない引き戸を備えた間仕切り装置も開発されていた。
【０００６】
例えば、部屋内に掛け渡されている梁の下面部に、当該梁に沿って２本のレールを平行に設け、これらレールのうち少なくとも一方のレールに、収納スペースを備えた間仕切りユニットを設けるとともに、他方のレールに引き戸ユニットを摺動可能に配設して、該引き戸ユニットで上記収納スペースの開口部を開閉できるように構成された間仕切り構造も開示されている（例えば、特許文献２を参照）。
【０００７】
特許文献２に記載された間仕切り構造であれば、壁面への扉建具の取付作業が不要であり、また、特許文献２に記載された扉構造は、引き戸型であるため、扉の開閉スペースを必要としない。
【０００８】
【特許文献１】
実開平７−２６４１６号公報（図１、図３など）
【特許文献２】
特開平１１−５０５７６号公報
【０００９】
【発明が解決しようとする課題】
しかし、上記特許文献２の間仕切り構造では、以下のような問題点があった。即ち、上記特許文献２の間仕切り構造において、収納ユニット及び引き戸ユニットは、ともに室内に掛け渡された梁の下面部に形成された２本のレールに取り付けられていた。ところが、上記梁は建物が完成した後から設置することができないため、建物の設計段階から、上記間仕切り構造を設置するための梁の設置位置を決定しておく必要があった。そのため、特許文献２の間仕切り構造は、建物が完成し、居住者が居住を始めた後に間仕切りの必要が生じた場合であっても、設置することが困難であるといった問題があった。
【００１０】
また、設計段階で上記従来の間仕切り構造を設置するように設計され、該間仕切り構造の設置された建物が完成した場合であっても、長年居住している間に上記間仕切り構造を撤去する必要が生じる場合もある。かかる場合、上記従来の間仕切り構造では、収納ユニット本体や引き戸ユニットは比較的容易に撤去することができるが、上記梁に形成された上記レールは容易に撤去することができず、撤去するには大掛かりな工事が必要であった。また、上記レールを放置したり、該レールを隠蔽するようにクロスを貼ったりすると室内の美観を損ねることになる。更に、レールを隠蔽することができたとしても、上記梁を撤去することは非常に困難であり、天井を横切る不自然な梁が残ってしまう。
【００１１】
このように、上記従来の間仕切り構造では、設置及び撤去に技術的困難を伴うため、間仕切り構造の設計の自由度を低下させるおそれがあり、また、コストの面でも高くなるおそれがあるといった問題があった。
【００１２】
本発明は、上記問題点に鑑み、梁や天井といった建物の構造物にレール等特別な部材を取り付けるような施工が不要であるため設置場所を選ばず、しかも、省スペース性、美感性に優れた引き戸を備えた間仕切り装置を提供する。
【００１３】
【課題を解決するための手段】
上記課題を解決するために、本発明は、開口部を有する収納ユニットと、該収納ユニットに固定された上枠部材と、上記開口部の前面に配置された扉を備え、上記上枠部材は、上記収納ユニットの上縁に平行に固定され、長手方向に形成された摺動構造を備えており、上記扉は、上記上枠部材の摺動構造に摺動可能に吊られていることを特徴とする間仕切り装置である。
【００１４】
このような構成であれば、収納ユニットの開口部の前面に配置され、該開口部を開閉する扉は、上記上枠部材から吊られて配置されるため、室内の梁や天井にレール等の部材を形成する必要がない。上記摺動構造は、典型的には下方に開口した箱形レールと該レール内に収納された吊り車から構成される。上記扉は、適当な手段で上記吊り車と連結されることにより、上記開口部の前面を上記レールに沿って自由に移動させることができる。
【００１５】
本発明において、上記収納ユニットは、複数本並べて設置することも可能である。
【００１６】
本発明に係る間仕切り装置の収納ユニットは、複数本並べて設置できることにより、施工時に部屋内へ搬入する際の利便性を向上させることができ、バリエーションをもった数種の収納ユニットを組み合わせて設置することも可能となる。
【００１７】
本発明において、上記収納ユニットは、表裏両側に開口部を有するものとすることも可能である。
【００１８】
このような構成であれば、間仕切り装置の表側と裏側の両側の開口部から収納することができ、利便性を向上させることができる。本発明において、上記収納ユニットの表裏両側に開口部が設けられた収納ユニットにおいて、両開口部を連通状態に構成してもよい。また、上記両開口部間の中間辺りに隔壁を設けて収納スペースを表側と裏側に区切ることも可能である。更に、本発明は、通常の奥行きの約１／２の奥行きを有する２本のサブユニットを、それぞれ背面同士を合わせて固定し、表側と裏側の両側に開口部を有する１本の収納ユニットとして使用することも可能である。
【００１９】
本発明において、上記収納ユニットに隣接して、間仕切られた両空間を行き来できる通路部が形成されており、上記上枠部材が上記通路部の上方にまで延設されているように構成することも可能である。
【００２０】
このような構成であれば、上記間仕切り装置で間仕切られた両空間を、上記通路部を通って自由に行き来することができる。また、上記上枠部材は、上記通路部の上方にまで延設されているため、上記摺動構造に設けられた上記扉を該通路部にまで移動させることができる。これにより、上記収納ユニットの開口部を開閉する上記扉を、上記通路部の開閉扉として兼用することができ、利便性を向上させることができる。
【００２１】
本発明において、上記収納ユニットの天板に照明装置を設置することも可能である。上記照明装置は、間仕切り装置の上方の天井側へ投光させるように構成してもよいし、上記収納ユニットの内部へ投光させるようにしてもよい。更に、天井側と収納ユニットの内部の両方へ同時に投光させたり、いずれか一方へ切り替えて投光させるようにすることも可能である。
【００２２】
このように構成されることにより、例えば、上記照明装置から天井側へ投光させるようにした場合、投光された光は、天井で反射して間接照明として作用する。この場合、上記間仕切り装置の上面と天井面との間に適当な空間が生じるように、上記収納ユニットの高さを設定することが好ましい。
【００２３】
また、上記照明装置から収納ユニットの内部へ投光させるようにした場合、収納ユニット内を明るくすることができるため、収納物の出し入れに際し、利便性を向上させることができる。
【００２４】
【発明の実施の形態】
以下、図面に基づき本発明に係る発明の実施の形態について詳細に説明する。
【００２５】
（実施形態１）
図１は、本発明の一実施の形態に係る間仕切り装置１の斜視図である。図２は、本実施形態に係る間仕切り装置１の正面図である。また、図３は、本実施形態に係る間仕切り装置１の平面断面図である。図１乃至３において、間仕切り装置１は、室内に設置されてその室内の空間を２つの空間に仕切っている。尚、図１において、説明の便宜上、部屋の一方の壁面（図２において、左方に位置する壁面Ｗ２）、及び天井Ｃは記載されていない。また、図２において、収納ユニットの内部を説明するために、扉４は記載されていない。
【００２６】
図１乃至３に示すように、間仕切り装置１は４本の収納ユニット２ａ、２ｂ、２ｃ、２ｄが、壁面間に並べられて設置されている。上記各収納ユニット２の表面側（図１において、手前の空間に面する側）の上縁には、該上縁に沿って平行に上枠部材３ａが固定されている。また、上記各収納ユニット２の裏面側（図１において、奥の空間に面する側）の上記収納ユニット２の上縁には、該上縁に沿って上枠部材３ｂが固定されている。
【００２７】
上記表面側の上枠部材３ａには、摺動構造を介して３枚の扉４が摺動可能に吊られている。（上記摺動構造に関しては、後に詳しく説明する。）
本実施形態において、壁Ｗ１と壁Ｗ１に隣接する収納ユニット２ａとの間、及び壁ｗ２と壁ｗ２に隣接する収納ユニット２ｄとの間には、縦枠部材５が設置されている。
【００２８】
上記収納ユニット２ａ〜２ｄは、それぞれ側板２１、天板２２、底板２３、及び背板２４を箱状に組み合わせて形成されおり、上記背板２４に対向する一面に開口部２５を備えている。該収納ユニット２ａ〜２ｄの内部には、収納スペース２６が形成されており、この収納スペース２６へ上記開口部２５を通じて収納物を出し入れできるように構成されている。
【００２９】
上記収納ユニットには、挽材、合板、木質繊維板（例えば、ＩＢやＭＤＦ等）、木削片板（例えば、パーティクルボード、スラントボード、ＯＳＢ等）、集成材、単板積層材といった板材、あるいは上記各種板材を任意に組み合わた複合材が用いられる。これら板材の表裏面、あるいは木口部には、化粧紙、化粧樹脂含浸紙、化粧合成樹脂シート、化粧単板等からなる化粧材が貼着されていてもよい。
【００３０】
図２に示すように、上記各収納ユニット２内の収納スペース２６には、用途に応じて様々な構造を形成することができる。
【００３１】
例えば、収納ユニット２ａ、及び２ｂの収納スペース２６内には、上記天板２２、及び底板２３と平行に棚板２９を設置されている。上記棚板２９は、予め収納ユニットに固定されていてもよいし、ダボとダボ穴などを用いて着脱自在に設置されていてもよい。このようにダボを用いることにより、収納物の大きさなどに合わせて棚板２９の枚数や高さを自由に設定することができる。
【００３２】
また、図２に示すように、収納ユニット２ｃの収納スペース２６内には、上記棚板２９に加えて、引き出し２７が形成されている。上記引き出し２７は、予め収納ユニットに形成されていてもよいし、上記棚板２９を利用し、適当な箱体を組み合わせることにより、引き出しとして使用することも可能である。また、引き出しの本数や深さに限定はなく、自由に設計し得るものである。
【００３３】
更に、図２に示すように、収納ユニット２ｄの収納スペース２６内には、ハンガー掛け２８が形成されている。図２において、ハンガー掛け２８は棚板２９とパイプ部材を組み合わせて形成されているが、パイプ部材を単独で側板２１間に掛け渡して形成することもできる。
【００３４】
また、図示はしないが収納ユニット２の収納スペース２６内には、違い棚等を設けて床の間風に構成したりすることなども可能である。
【００３５】
図４は、本実施形態に係る間仕切り装置の側面断面図、及び上枠部材３ａの断面図である。上記上枠部材３ａは、収納ユニット２の開口部２５の上縁に沿って固定されている。該上枠部材３ａは、上記複数の収納ユニット（本実施形態においては４本の収納ユニット２ａ〜２ｄ）の横幅の合計に等しい長さを有し、幅約１０ｃｍ、及び厚さ約３ｃｍ程度の長板状の部材である。
【００３６】
図４に示すように、上記上枠部材３ａは、摺動構造６を備える。本実施形態において、上記摺動構造６は下方に開口した箱形レール６１と、該箱形レール６１内に収納された複数個の吊り車６２により構成されている。上記摺動構造６の箱形レール６１は、上記上枠部材３ａの全長にわたって形成されている。上記吊り車６２は、上記箱形レール６１の開口縁部６４上を転動する１対のローラ６３と、該１対のローラ６３を同軸に結合する軸部６５からなる。また、上記軸部６５は、上記扉４と吊り車６２を連結する連結部材６６に軸着されている。
【００３７】
このように構成されることにより、上記吊り車６２を箱形レール６１内でスムーズに摺動させることができる。
【００３８】
本発明に係る摺動構造６は、上記下方に開口した箱形レールを用いたものに限定されるものではない。例えば、上記摺動構造は、上記上枠部材３ａの側面側に形成されたレールと吊り車から構成されたものであってもよい。更に、他の形態の摺動構造として、上記上枠部材３ａの上面に形成された突条レール、または凹溝レールと吊り車とから構成されたものであってもよい。即ち、本発明の摺動構造は、上記上枠部材３ａに形成されており、且つ、上記扉と連結された状態で、該扉を軽快に開閉することができるものであればどのような構成を有するものであってもよい。
【００３９】
上記扉４は、平板状の部材であって、上記収納ユニット２の開口部２５を締め切ることができるよう、開口部の寸法と概ね同じ寸法に形成されている。該扉４には、上記収納ユニットと同様、挽材、合板、木質繊維板（例えば、ＩＢやＭＤＦ等）、木削片板（例えば、パーティクルボード、スラントボード、ＯＳＢ等）、集成材、単板積層材といった板材、あるいは上記各種板材を任意に組み合わた複合材が用いられる。これら板材の表裏面、あるいは木口部には、化粧紙、化粧樹脂含浸紙、化粧合成樹脂シート、化粧単板等からなる化粧材が貼着されていてもよい。また、上記扉４は、スチール製や合成樹脂製のものであってもよい。
【００４０】
さらに、上記扉４は一枚の平板で形成されていてもよいし、木製、スチール製あるいは合成樹脂製の框に、ガラスや合成樹脂からなる透明または半透明のプレートをはめ込んで形成することもできる。
【００４１】
また、扉４には、移動させる際に手懸かりとなる把手や引き手を形成することが好ましい。例えば、図１及び図５に示すように、扉４の左右両端部には、高さ方向の全長にわたり樹脂製の引き手構造４１が取り付けられている。該引き手構造４１は、上記扉４を開閉する際に手掛かりとなる引き手部４２と、扉４と後に説明する縦枠部材５、あるいは扉４同士の当接部において、衝撃を吸収するクッション構造４３とが一体に構成されている。
【００４２】
このような引き手構造４１を用いることにより、扉４同士、あるいは扉４と縦枠部材５との当接部を強化できるとともに、上記扉４の左右両端部における木口部の化粧を兼ねることができ、扉全体のデザインを洗練されたものにすることができる。
【００４３】
図４に示すように、該扉４は、上記上枠部材３に形成された上記摺動部材６に設置されている。具体的には、上記扉４は、上記吊り車６２に設けられた連結部材６６を介して、上記摺動構造６に連結されている。本実施形態において、各扉４の上端縁の左右両端には、それぞれ１個ずつ合計２個の吊り車６２が連結されている。このように、上記吊り車６２に扉４が連結されることにより、上記扉４は、上記上枠部材３に形成された箱形レール６１に沿って摺動可能に吊られた状態となり、上記収納ユニット２の開口部２５に対して引き戸として機能する。
【００４４】
図示はしないが、上記扉４の下端縁にガイド溝を形成するとともに、上記収納ユニット２の側板２１の下端部や底板２３に、Ｌ字型金具などを介してガイドピンを立設し、該ガイドピンを上記ガイド溝にはめ込むように構成することもできる。このように、ガイド溝及びガイドピンを用いることにより、上記上枠部材３ａから吊り下げられた扉４は、前後に揺動することなくスムーズに移動させることができる。
【００４５】
本実施形態において上記間仕切り装置１には、３枚の扉４が形成されている。本実施形態に係る間仕切り装置１において、上記扉４の構造が引き違い構造となっていないため、該扉４の枚数は上記収納ユニット２の本数より、少なくとも１枚少なくなければならない。ただし、上記扉４を引き戸兼折戸構造とすれば、該扉の枚数を上記収納ユニットの本数と同数にすることができ、各収納ユニットの開口部すべてを締め切ることも可能となる。
【００４６】
本実施形態の間仕切り装置１は、縦枠部材５を備える。該縦枠部材５は、間仕切り装置１を構成する収納ユニット２のうち、壁面と隣接して設置される収納ユニット２ａ、２ｄの表裏両側であって、上記壁面と対向する側板２１の高さ方向の端部に沿って設置される。縦枠部材５は、上記収納ユニット２の高さとほぼ等しく、所定の厚さと幅を有する長板状の部材に形成されている。
【００４７】
図５は、上記縦枠部材５の設置状態を示す断面図である。図５に示すように、該縦枠部材５の裏面側には、壁面Ｗとの間に介在させる桟木Ｓの厚さに対応した当接部５２が形成されている。縦枠部材５の表面側には、上記扉４の縦框（本実施形態では、上記引き手構造４１のクッション構造４３）が当接する部分に対応した控え部５１が形成されている。
【００４８】
壁面ｗと収納ユニット２の側板２１との間には、所定の厚みを有し、概ね収納ユニット２の高さに等しい桟木Ｓが固定されている。該桟木Ｓに収納ユニット２の側板２１と上記縦枠部材５の当接部５２を当接させて固定する。このように縦枠部材５を使用することにより、壁面下部に幅木等が設置されており、壁面Ｗと側板２１との間に間隙が生じてしまうような場合であっても、該側板２１と壁面Ｗとの間隙を埋めることができ、美感を向上させることができる。
【００４９】
また、上記収納ユニット２の規格等との関係で、間仕切り装置１と壁面Ｗとの間に比較的広い間隙が生じる際には、該間隙部に従来から施工されていた袖壁を形成するとともに、上記縦枠部材５を使用して上記間隙部を封鎖することもできる。
【００５０】
次に、本実施形態に係る間仕切り装置の設置方法について詳しく説明する。
【００５１】
本実施形態に係る間仕切り装置１は、部屋内の１つの空間を２つの空間に完全に間仕切るために使用される。従って、間仕切られることにより生じる２つの空間には、それぞれ別途出入り口があることが前提となる。また、本発明に係る間仕切り装置１の設置に際して、天井Ｃに梁を必要とせず、床面にレール等を設置する必要もない。
【００５２】
上記間仕切り装置１が設置される位置に対応する両壁面Ｗ１、Ｗ２に、それぞれ２本ずつ平行に上記桟木Ｓを固定する。上記２本の桟木Ｓは、上記収納ユニット２を当接させた状態で、該収納ユニット２の表面側と裏面側にそれぞれ上記縦枠部材５を取り付けられる程度の露出部が生じる程度の設置間隔で固定されている。
【００５３】
次に、壁面Ｗ１に固定された桟木Ｓに第１の収納ユニット２ａを当接させ設置し、ボルト等で桟木Ｓに固定するとともに、該桟木Ｓの外側木口を覆い隠すように上記２本の縦枠部材５をボルト等で固定する。第１の収納ユニット２ａの側板２１に第２の収納ユニット２ｂの側板２１を当接させて設置し、ボルトナット等で両者を連結して固定する。同様に、第３の収納ユニット２ｃを第２の収納ユニット２ｂに当接させて設置し、ボルトナット等で固定する。続いて、第４の収納ユニット２ｄを、上記第３の収納ユニット２ｃと予め壁面Ｗ２に固定されている桟木Ｓとの間に挿入して設置し、第３の収納ユニット２ｃ、及び桟木Ｓとそれぞれ固定する。反対側と同様、該桟木Ｓの外側木口を覆い隠すように縦枠部材５を該桟木Ｓに固定する。
【００５４】
次に、上記各収納ユニットの開口部の上縁部に上枠部材３ａ、３ｂを取り付ける。該上枠部材３ａは、上記各収納ユニット２の横幅の合計に等しい長さを有する１本の部材で構成されることが好ましいが、複数分に分割されていてもよい。
【００５５】
上枠部材３ａには、下方に開口した箱形レール６１が形成されており、該レール内には、所定個数の吊り車６２が収納されている。例えば、本実施形態の間仕切り装置では、３枚の扉４を設置するため、各扉毎に２個の吊り車を使用するとすれば、合計６個の吊り車６２をレール６１内に収納しておく。
【００５６】
この上枠部材３ａを上記各収納ユニット２の開口部２５の上縁部に平行となるように設置して固定する。上記上枠部材３ａの下面には、上記レール６１と平行して当接部３１が切り欠かれている。この当接部３１を上記収納ユニットの各天板２２の前方縁に当接させて固定する。固定方法は、接着剤による接着や、ボルトによる螺着等特に限定されるものではないが、片持ち状に張り出した上記レール６１に複数枚の扉４を吊すため、該扉４の重量に耐え得るよう強固に固着する必要がある。
【００５７】
本実施形態において、図１、図３に示すように収納ユニットの開口部２５は、すべて同じく表面側（図１に示す手前の空間側。）を向いている。従って、収納ユニット２の背面側には上記扉４を設置する必要がない。そのため、上記各収納ユニット２の背面側の上端縁には、上記摺動構造を設ける必要はないが、表面側と裏面側とのデザインを統一し、美感を向上させるために、開口部上端に設置された上枠部材と同じか、若しくは摺動構造が形成されておらず外観上近似した上枠部材３ｂを設置することが好ましい。もちろん、表面側と裏面側の各空間の雰囲気に合わせて、異なるデザインの上枠部材を設置することも可能である。この場合、上記縦枠部材５も上記上枠部材３ａ、３ｂのデザインと合致したものを選択して使用することが好ましい。
【００５８】
また、本実施形態において、図３にに示すように各収納ユニット２の背板２４の背面側に化粧板３０を積層して設置することも可能である。この場合、化粧板３０は各収納ユニット毎に設置されていてもよいし、背面側全面に１枚の化粧板を積層することも可能である。該化粧板３０は、背板２４に接着されていてもよいし、例えば、上枠部材３ｂの使用されていないレール、及び縦枠部材５の控え部５１を利用して、嵌合状態に固定されていてもよい。もちろん、上記化粧板３０を使用せずに、上記背板２４の背面側に塗装を施したり、化粧クロスを貼着することも可能である。
【００５９】
また、図示はしないが、上記化粧板３０に棚板、ポール部材あるいはフック部材等を着脱自在に、または固定的に設けることも可能である。このように構成することにより、間仕切り装置の裏面側にも収納機能を付与することができ、利便性を向上させることができる。
【００６０】
次に、扉４の前後方向への揺動を防止するために、ガイドピンを立設する。ガイドピンに立設には、Ｌ字金具の使用が好適である。該Ｌ字金具の一辺には、上記扉の下框に形成された溝部と嵌合する概ね円柱状のガイドピンが固着されており、他の一辺には該金具を固定するための皿孔が形成されている。上記ガイドピンが固着された一辺を床面に当接させた状態で、木ねじ等を用いて該Ｌ字金具を上記収納ユニット２の側板２１の木口下端部に螺着する。これにより、Ｌ字金具を介してガイドピンが、床面に対して垂直に立設される。
【００６１】
次に、上記収納ユニットの開口部前面に扉４を設置する。扉４は、上記上枠部材３ａに形成された箱形レール６１内に収納されている吊り車６２に連結されて設置される。上記扉の上框または縦框の上端部には、上記吊り車６２の連結部材６６と結合可能に構成された部材が形成されている。例えば、上記連結部材６６の下端部と縦框の上端部に蟻桟構造が形成されている。上記扉４の下框に形成された上記ガイド溝に上記ガイドピンを挿入し、この蟻桟構造を嵌合させた状態で木ねじ等により固定すると、上記連結部材と扉を強固に結合させることができる。このように、連結部材６６を介して吊り車６２と接続された扉４は、極めてスムーズに開閉させることができる。本実施形態に係る間仕切り装置１は、所定枚数の扉をそれぞれ吊り車に接続して完成する。
【００６２】
本実施形態に係る間仕切り装置１において、上記収納ユニットの開口部２５の前面に配置され、該開口部２５を開閉する扉４は、開閉スペースを必要とせずスムーズに開閉できる引き戸であって、且つ、収納ユニット２の上端縁に平行に設置された上枠部材３ａから吊られて配置されている。そのため、本実施形態の間仕切り装置１では、従来、収納ユニットや引き戸ユニットを設置するためのレール等の部材を、室内の梁や天井に設置する必要がなくなる。
【００６３】
従って、間仕切り装置の設置が容易であり、また、間仕切り設計の自由度を向上させることができる。更に、本実施形態に係る間仕切り装置は、梁などにレールが形成されていないため、間仕切りが不要になって撤去された際、レール部が室内に残置されることもない。
【００６４】
（実施形態２）
図６は、本発明の他の実施形態に係る間仕切り装置を表面側から見た斜視図である。図７は、本実施形態に係る間仕切り装置を裏面側から見た背面図である。図８は、本実施形態２の間仕切り装置の平面断面図である。
【００６５】
本実施形態２の間仕切り装置は、上記実施形態１の間仕切り装置と収納ユニットの構成のみ異なり、その他はほぼ同様のものである。従って、上記実施形態１と同一の部材については、同一の符号を付し説明を省略することがある。
【００６６】
本実施形態２に係る間仕切り装置１は、室内に設置されてその室内の空間を２つの空間に仕切っている。尚、図６において、説明の便宜上、部屋の一方の壁面（図７において、右方に位置する壁面Ｗ２）、及び天井Ｃは記載されていない。
【００６７】
図６に示すように、間仕切り装置１は４本の収納ユニット２ｅ、２ｆ、２ｇ、２ｈが、壁面間に並べられて設置されている。上記各収納ユニット２の表面側の上縁には、該上縁に沿って平行に上枠部材３ａが固定されている。また、上記各収納ユニット２の裏面側の上記収納ユニット２の上縁には、該上縁に沿って上枠部材３ｂが固定されている。
【００６８】
上記表面側の上枠部材３ａには、上記実施形態１と同様の摺動構造を介して３枚の扉４が摺動可能に吊られている。
【００６９】
本実施形態において、壁Ｗ１と壁Ｗ１に隣接する収納ユニット２ａとの境界、及び壁ｗ２と壁ｗ２に隣接する収納ユニット２ｄとの境界には、縦枠部材５が設置されている。
【００７０】
上記収納ユニットのうち、収納ユニット２ｅは、側板２１、天板２２、底板２３を箱状に組み合わせて形成されおり、表裏両面側に開口部を有する。即ち、該収納ユニット２ｅは背板を備えておらず、該間仕切り装置で仕切られる２つの空間を連通した状態に構成されている。
【００７１】
また、収納ユニット２ｅの収納スペース２６内には、上記天板２２、及び底板２３と平行に棚板２９を設置することができる。上記棚板２９は、予め収納ユニットに固定されていてもよいし、ダボとダボ穴などを用いて着脱自在に設置されていてもよい。このようにダボを用いることにより、収納物の大きさなどに合わせて棚板２９の枚数や高さを自由に設定することができる。
【００７２】
このように構成することにより、該収納ユニット２ｅは、上記間仕切り装置の表裏両面側から収納物を出し入れすることができる。
【００７３】
また、図示はしないが、収納ユニット２ｅの両開口部間の中間辺りに隔壁を着脱自在に、または固定的に設けて、上記収納スペース２６を表面側と裏面側に区切ることも可能である。
【００７４】
上記収納ユニットのうち、収納ユニット２ｆは、他の収納ユニットの奥行きの約半分の奥行きを有する２本のサブユニット２ｆ′を、それぞれ背板２４同士を合わせて固定し、１本の収納ユニット２ｆとして使用している。
【００７５】
本実施形態では、図６に示すように、間仕切り装置１の表面側には、上記実施形態１と同様、３枚の扉４が摺動可能に設置されている。該扉自体の構成及び摺動構造の構成については、上記実施形態１と同様である。間仕切り装置１の背面側において、収納ユニット２ｇ、２ｈの背板には、上記実施形態１と同様、化粧板３０が積層されて設置されているが、該化粧板を使用しないことも可能である。
【００７６】
また、図示はしないが、本実施形態において、間仕切り装置１の裏面側にも表面側と同様に扉４を設置することもできる。この場合、使用される扉、及び摺動構造などは上記実施形態のものと同様のものである。
【００７７】
本実施形態に係る間仕切り装置の設置方法は、上記実施形態１の間仕切り装置の設置方法と同じである。
【００７８】
また、本実施形態の変形例として、図９に示すようにすべての収納ユニットを通常の収納ユニットの奥行きの約半分の奥行きを有する２本のサブユニット２ｆ′を組み合わせて使用することも可能である。この場合、間仕切り装置の表裏両面に上記扉４を形成することもできる。上記扉４は、表面側と裏面側手で同じ扉であってもよいし、図１０に示すように、例えば、表面側の扉４ａは、アルミ製等の框４４に半透明の合成樹脂製パネルを組み合わせて構成し、裏面側の扉４ｂは、木製等の平板４６から構成するようにしてもよい。
【００７９】
本実施形態の収納ユニット２ｅ、２ｆは表裏両側に開口部を有することにより、間仕切り装置への収納における利便性を向上させることができる。
【００８０】
（実施形態３）
図１１は、本発明の一実施の形態に係る間仕切り装置１の斜視図である。また、図１２は、本実施形態に係る間仕切り装置１の平面断面図である。
【００８１】
本実施形態３の間仕切り装置は、上記各実施形態の間仕切り装置において、上記収納ユニットに隣接して、間仕切られた両空間を行き来できる通路部７が形成されていることを特徴とする。その他の構成は、上記各実施形態とほぼ同様のものである。従って、上記実施形態と同一の部材については、同一の符号を付し説明を省略することがある。
【００８２】
図１１及び１２に示すように、本実施形態に係る間仕切り装置１は、室内に設置されてその室内の空間を２つの空間に仕切るとともに、通路部７を通って上記両空間を行き来できるように構成されている。
【００８３】
間仕切り装置１は、３本の収納ユニット２ｉ、２ｊ、２ｋが一方の壁面Ｗ２から並べられて設置されていて、上記収納ユニット２ｉに隣接して通路部７が形成されている。図１１に示すように、上記各収納ユニット２の表面側（図１１において、手前の空間に面する側）の上縁には、該上縁に沿って平行に上枠部材３ａが固定されている。また、上記各収納ユニット２の裏面側（図１１において、奥の空間に面する側）上記収納ユニット２の上縁には、該上縁に沿って上枠部材３ｂが固定されている。上記各上枠部材３ａ、３ｂは、上記収納ユニット２ｉの側板２１から上記通路部７の上方を経て、壁面Ｗ１に達している。壁面Ｗ１には、上記上枠部材３ａ、３ｂをそれぞれ下方から支持するように縦枠部材５が固定されている。上記通路部７の上方であって、上記上枠部材３ａ、３ｂの間には、天板２２が設置されている。また、上記２本の縦枠部材５の間には、化粧板３０が設置されている。
【００８４】
上記表面側の上枠部材３ａには、上記実施形態と同様の摺動構造６を介して、３枚の扉４が摺動可能に吊られている。該扉自体の構成及び摺動構造の構成については、上記実施形態と同様である。また、図示はしないが、本実施形態において、間仕切り装置１の裏面側にも表面側と同様に扉を設置することもできる。この場合、使用される扉、及び摺動構造などは上記実施形態のものと同様のものである。
【００８５】
本実施形態において、上記上枠部材３が通路部７の上方にまで延設されていることにより、該扉４は上記収納ユニット２の開口部を開閉するのみならず、上記通路部７のドアとしての機能を兼備する。
【００８６】
本実施例において、上記通路部７は、収納ユニット２ｉに隣接し、壁面Ｗ１に沿って形成されている。しかし、上記通路部７が形成される位置は、上記位置に限られない。即ち、図示はしないが、例えば、収納ユニット２ｉと収納ユニット２ｊに隣接するように、言い換えれば、収納ユニットと収納ユニットと間に形成されることも可能である。この場合においても、上記上枠部材に設置された扉４は、収納ユニットの開口部２５を開閉するとともに、該通路部７のドアとしても機能する。
【００８７】
本実施形態において、扉４は、通路部７の両側から開閉できるような引き手構造４１を有することが好ましい。例えば、図１２に示す引き手構造４１は、クッション構造４３を備えるとともに、表裏両側に引き手部４２が形成されている。
【００８８】
本実施形態において、上記収納ユニットに隣接する通路部７を形成することによって、間仕切り装置で仕切られた両空間を行き来することができるようになり、利便性が向上する。また、本実施形態に係る間仕切り装置では、上記通路部７を通って、両空間を行き来できるため、仕切られた両空間にそれぞれ出入り口がなくてもよく、間仕切り設計の自由度が向上する。
【００８９】
（実施形態４）
図１３は、本発明の一実施の形態に係る間仕切り装置１の斜視図である。また、図１４は、本実施形態に係る間仕切り装置１の天板の要部断面図である。
【００９０】
本実施形態４の間仕切り装置は、上記各実施形態の間仕切り装置において、上記収納ユニットの天板２２に照明装置８が設置されていることを特徴とする。その他の構成は、上記各実施形態とほぼ同様のものである。従って、上記実施形態と同一の部材については、同一の符号を付し説明を省略することがある。
【００９１】
図１３に示すように、本実施形態に係る間仕切り装置１は、各収納ユニット２の天板上に照明装置８が設置されている。本実施形態において、間仕切り装置の天板２２と天井との間には、適当な空間が存在していることが前提となる。
【００９２】
図１４において、収納ユニット２及び通路部７の配置は、上記実施形態３と同じである。本実施形態において、各収納ユニット２の上面に設置された各照明装置８は、上方の天井面へ投光するように構成されている。
【００９３】
図１４に示すように、上記照明装置８は、上記収納ユニット２の天板２２上に積層されて設置された化粧板３０に設けられている。
【００９４】
上記化粧板３０は、上記各収納ユニット毎に設けることも可能であるし、複数の収納ユニットに対し１枚の化粧板を設けることも可能である。図１３の上記化粧板３０において、ほぼ中央部には上記照明装置８が設置される円形の凹部が形成されている。該凹部には、照明ユニット８３が収納されている。該照明ユニット８３には、保持具８２を介して円形蛍光灯８１が設置されている。また、上記照明ユニット８３には、図示はしないが、トランスやグローランプなど通常の照明装置に用いられている部品が設置されている。
【００９５】
照明装置８に電力を供給する配線コードは、美感上の観点から、上記化粧板３０の下面側に溝部などを形成し、該溝部を通して外部の電源に接続することが好ましい。また、配線コードを天板２２より下方へ延長する必要がある場合、図１３の通路部７の壁面側に形成された縦枠部材５と化粧板３０とが、壁面との間に作る空間内に上記配線コードを通すことが好ましい。
【００９６】
上記照明ユニット８３の上方には、カバー８４が設置されている。該カバー８４は、透明、または半透明の素材で形成されており、上記照明ユニット８３内への埃等の侵入を防止するとともに、投光される光を着色したり拡散させたりして光学的効果をも発揮する。
【００９７】
本実施形態に係る照明装置８は、間仕切り装置の上方の天井側へ投光させるように構成されているため、投光された光は、天井で反射して間接照明として作用する。
【００９８】
また、上記照明装置８は、適宜変形された照明ユニットと、貫通孔が形成された上記天板を使用して、上記収納ユニット２の内部へ投光させるようにしてもよい。更に、天井側と収納ユニット２の内部の両方へ同時に投光させたり、いずれか一方へ切り替えて投光させるようにすることも可能である。
【００９９】
このように収納ユニット２の内部へ投光できるように構成されることにより、収納ユニット内を明るくすることができるため、収納物の出し入れに際し、利便性が向上する。
【０１００】
【発明の効果】
本発明に係る間仕切り装置によれば、上記収納ユニットの開口部、または通路部を開閉する扉は、間仕切り装置自体、具体的には間仕切り装置を構成する収納ユニットの開口部上縁に平行に設置された、上記上枠部材から吊られて配置されるため、室内の梁や天井にレール等の部材を形成する必要がない。そのため、本発明に係る間仕切り装置は設置場所を選ばず、間仕切り設計の自由度を高めることができる。
【０１０１】
また、本発明に係る間仕切り装置は、撤収する必要が生じた場合、撤収した後の室内にレールなどの部材を残置しないため、室内の美観を損なうおそれもない。
【０１０２】
本発明に係る間仕切り装置は、引き戸型の扉を備えているため、開閉のスペースを必要とせず優れた省スペース性を備える。
【０１０３】
更に、本発明に係る間仕切り装置は、収納ユニットの構成を各種変更し、また、通路部を形成したり、照明装置を組み合わせて使用することにより利便性を向上させることができる。
【図面の簡単な説明】
【図１】本発明の実施形態１に係る間仕切り装置の斜視図である。
【図２】本発明の実施形態１に係る間仕切り装置の正面図である。
【図３】本発明の実施形態１に係る間仕切り装置の平面断面図である。
【図４】本発明の実施形態１に係る間仕切り装置の側面断面図、及び要部拡大断面図である。
【図５】本発明の実施形態１に係る間仕切り装置の平面断面図、及び要部拡大断面図である。
【図６】本発明の実施形態２に係る間仕切り装置の斜視図である。
【図７】本発明の実施形態２に係る間仕切り装置の背面図である。
【図８】本発明の実施形態２に係る間仕切り装置の平面断面図である。
【図９】本発明の実施形態２の変形例に係る間仕切り装置の平面断面図である。
【図１０】本発明の実施形態２に係る間仕切り装置の側面断面図、及び要部拡大断面図である。
【図１１】本発明の実施形態３に係る間仕切り装置の斜視図である。
【図１２】本発明の実施形態３に係る間仕切り装置の平面断面図、及び要部拡大断面図である。
【図１３】本発明の実施形態４に係る間仕切り装置の斜視図である。
【図１４】本発明の実施形態４に係る間仕切り装置の天板の要部断面図である。
【符号の説明】
１  間仕切り装置
２  収納ユニット
３  上枠部材
４  扉
５  縦枠部材
６  摺動構造
７  通路部
８  照明装置
【図１】
2005009258.tif 000003
【図２】
2005009258.tif 000004
【図３】
2005009258.tif 000005
【図４】
2005009258.tif 000006
【図５】
2005009258.tif 000007
【図６】
2005009258.tif 000008
【図７】
2005009258.tif 000009
【図８】
2005009258.tif 000010
【図９】
2005009258.tif 000011
【図１０】
2005009258.tif 000012
【図１１】
2005009258.tif 000013
【図１２】
2005009258.tif 000014
【図１３】
2005009258.tif 000015
【図１４】
2005009258.tif 000016